(57)【要約】【課題】延長コードを不要にし、電気機器が設置、使用等されるその場で電気機器に電源を供給する。【解決手段】壁体１の表面側に係合部３が設けられ、この係合部に係合する被係合部８が設けられるとともに、伸縮する電源コード６を備えたコンセント５が、被係合部を係合部に係合させることにより壁体の表面側に取り付けられる。【選択図】図１
2008027629.tif 000002
【特許請求の範囲】
【請求項１】
壁体の表面側に係合部が設けられ、この係合部に係合する被係合部が設けられるとともに、伸縮する電源コードを備えたコンセントが、被係合部を係合部に係合させることにより壁体の表面側に取り付けられることを特徴とする壁面コンセント装置。
【請求項２】
横方向に延びる平行な複数段の係合部が壁体の上下方向に設けられていることを特徴とする請求項１に記載の壁面コンセント装置。
【請求項３】
係合部は、壁体の表面側から内部に向かって形成され、壁体の表面側において開放した横長の係合溝であることを特徴とする請求項１または２に記載の壁面コンセント装置。
【請求項４】
係合部は、正面から内部に向かって形成され、正面において開放した係合溝を有する横長のレールであり、壁体の表面に取り付けられることを特徴とする請求項１または２に記載の壁面コンセント装置。
【請求項５】
壁体は作業台の後方に位置し、電源コードが上方から延び、上下に伸縮することを特徴とする請求項１ないし４いずれか一項に記載の壁面コンセント装置。
【請求項６】
コンセントはラックを兼ねていることを特徴とする請求項１ないし５いずれか一項に記載の壁面コンセント装置。
【発明の詳細な説明】
【技術分野】
【０００１】
本発明は、コンセントを壁体の表面側の所望位置に取付可能な壁面コンセント装置に関する。
【背景技術】
【０００２】
住宅等では、電源供給用のコンセントが内壁を形成する壁体に配設されている。各種の電気機器は、電源コードの先端に設けられたプラグをコンセントに接続することにより電源が供給され、使用可能となる。コンセントの配設位置は、電気機器の設置位置や使い勝手等を考慮して決められているが、最大公約数的にならざるを得ず、すべての電気機器の設置、使用等の態様に対応することはできない。このため、延長コードの使用が必要になる場合が少なくない。
【０００３】
このような不都合を解消するために、コンセントを備えた家具等が提供され、電気機器が設置、使用等されるその場で電気機器に電源を供給することができるようにしている。たとえばキッチンでは、吊り戸棚の下面にコンセントが設けられ、作業台である厨房装置のカウンターの上に置いて使用されるコーヒーメーカー、ジューサー等の各種の電気機器の電源供給部としている（特許文献１）。
【特許文献１】特開平８−１５４７５７号公報
【発明の開示】
【発明が解決しようとする課題】
【０００４】
しかしながら、そのように家具等にコンセントが配設されていても、コンセントの配設位置または電気機器の電源コードの長さによっては電源コードがコンセントに届かない場合があり、延長コードが必要になっている。
【０００５】
本発明は、以上の通りの事情に鑑みてなされたものであり、延長コードを不要にし、電気機器が設置、使用等されるその場で電気機器に電源を供給することのできる壁面コンセント装置を提供することを課題としている。
【課題を解決するための手段】
【０００６】
本発明の壁面コンセント装置は、上記の課題を解決するために、以下のことを特徴としている。
【０００７】
第１に、壁体の表面側に係合部が設けられ、この係合部に係合する被係合部が設けられるとともに、伸縮する電源コードを備えたコンセントが、被係合部を係合部に係合させることにより壁体の表面側に取り付けられる。
【０００８】
第２に、上記において、横方向に延びる平行な複数段の係合部が壁体の上下方向に設けられている。
【０００９】
第３に、上記において、係合部は、壁体の表面側から内部に向かって形成され、壁体の表面側において開放した係合溝である。
【００１０】
第４に、上記において、係合部は、正面から内部に向かって形成され、正面において開放した横長の係合溝を有する横長のレールであり、壁体の表面に取り付けられる。
【００１１】
第５に、上記において、壁体は作業台の後方に位置し、電源コードが上方から延び、上下に伸縮する。
【００１２】
第６に、上記において、コンセントはラックを兼ねている。
【発明の効果】
【００１３】
上記第１の発明によれば、壁体の表面側に設けられた係合部に被係合部を係合させて伸縮する電源コードを備えたコンセントを壁体の表面側に取り付けるので、壁体の適所に係合部を設けておくことにより、各種電気機器が設置、使用等されるその場にコンセントを取り付けることができ、電気機器の電源コード先端のプラグを直接コンセントに接続することができる。したがって、延長コードは不要になり、電気機器が設置、使用等されるその場で電気機器に電源を供給することができる。
【００１４】
上記第２の発明によれば、上記の発明の効果に加え、電気機器の設置、使用等の態様に応じてコンセントの取付位置を変えることができ、コンセントを壁体の表面側の適当な位置に取り付けることができる。
【００１５】
上記第３の発明によれば、上記の発明の効果に加え、係合部が壁体と一体に形成されるので、壁体の外観が良好になる。
【００１６】
上記第４の発明によれば、上記の発明の効果に加え、係合部はレールであるため、壁体に後付けすることもでき、既設の壁体の表面側にもコンセントを取り付けることができる。
【００１７】
上記第５の発明によれば、上記の発明の効果に加え、作業台で行う作業に適した位置にコンセントを取り付けることができ、作業台の上に置かれて使用される電気機器の電源コードがコンセントに届き、電気機器に電源を供給することができる。また、コンセントが備える電源コードは上方から延び、上下に伸縮するので、作業台で行う作業の邪魔にならない。
【００１８】
上記第６の発明によれば、上記の発明の効果に加え、コンセントを取り付けた状態でラックとして使用可能であり、電気機器等をその上に載せることができる。
【発明を実施するための最良の形態】
【００１９】
図１、図２は、それぞれ、本発明の壁面コンセント装置の一実施形態を示した要部斜視図、要部側面図である。
【００２０】
壁体１の表面を形成する表面板２に係合部３が設けられている。係合部３は、係合溝４であり、表面板２の表面から内部に向かってなだらかに上方に湾曲して形成され、表面板２の表面において開放している。係合溝４は、横長であり、表面板２の横方向に延びている。
【００２１】
コンセント５は、上方から延び、上下に伸縮する電源コード６を備え、右側面に、各種電気機器の電源コード先端に設けられたプラグの差込みを可能とした差込部７を有している。コンセント５の内部では、差込部７に臨む接続端子が電源コード６に電気的に接続されている。コンセント５には、背面側の一端に、表面板２の表面側に設けられた係合部３としての係合溝４に係合する被係合部８が設けられている。被係合部８は、係合溝４の断面形状に一致する断面形状を有する突起体９である。突起体９は、コンセント５の横幅にわたって設けられ、コンセント５の背面側の一端において、コンセント５の厚み方向の略中央から外方に延設され、上方になだらかに湾曲している。
【００２２】
コンセント５は、被係合部８である突起体９を係合部３である係合溝４に係合させることにより表面板２の表面に取り付けられる。すなわち、突起体９を係合溝４に対向させ、図３（ａ）に示したように、突起体９側を下に傾けて突起体９の先端部を係合溝４の入口部に差し込み、次いで、図３（ｂ）に示したように、コンセント５を押し込みながら下方に回動することにより突起体９が係合溝４に嵌まり込み、突起体９が係合溝４に係合する。この係合状態においてコンセント５は、表面板２の表面に取り付けられる。
【００２３】
このように、伸縮する電源コード６を備えたコンセント５は、壁体１の表面側に設けられた係合部３に被係合部８を係合させることにより壁体１の表面側に取り付けられるので、壁体１の適所に係合部３を設けておくことにより、各種電気機器が設置、使用等されるその場にコンセント５を配置することができ、電気機器の電源コード先端のプラグを直接コンセント５に接続することができる。したがって、延長コードは不要になり、電気機器が設置、使用等されるその場で電気機器に電源を供給することができる。
【００２４】
コンセント５は取り外すこともできる。図３（ａ）（ｂ）に示した手順と逆に操作することにより、コンセント５を壁体１から取り外すことができる。上方に回動した後、引き抜くことにより取り外すことができる。
【００２５】
また、図１〜図３に示した実施形態では、係合部３は係合溝４であり、表面板２に形成されているので、係合部３は壁体１と一体であり、壁体１の外観が良好である。
【００２６】
係合部３は、図４に示したように、平行な複数段として壁体１に設けることができる。すなわち、図４に示した実施形態では、係合部３である係合溝４が表面板２に、表面板２の上下方向に一定の間隔で複数段形成されている。このように、係合部３を平行な複数段とすることにより、電気機器の設置、使用等の態様に応じてコンセント５の取付位置を変えることができ、コンセント５を壁体１の表面側の適当な位置に取り付けることができる。
【００２７】
なお、本発明の壁面コンセント装置では、係合部３が設けられる壁体１の表面側は表面板２に限られることはなく、壁体１の表面側に位置する各種のものとすることができる。また、係合部３は係合溝４に限られることはなく、壁体１の表面側に設けられるものであればよい。たとえば係合部３は壁体１と別体の部材等とし、壁体１の表面に取り付けるようにすることができる。さらに、係合部３の形状および係合部３に係合する被係合部８の形状は図１〜図４に示したものに限られない。コンセント５を係合により壁体１の表面側に取り付けることができる限り特に制限はない。
【００２８】
コンセント５については、その形状は特に制限されない。そして、被係合部８は、コンセント５の横幅にわたって設ける以外に、コンセント５の左右両側または横幅方向の中央部に部分的に設けることもできる。コンセント５の取付状態が安定すれば各種の態様が可能である。電源コード６は、上方から延びるばかりでなく、下方から延び、上下に伸縮するものとしたり、横方向に延び、左右に伸縮するものとすることもできる。コンセント５への電源コード６の接続位置は、被係合部８を除き、延びる方向に応じて適宜な位置とすることができる。差込部７は、コンセント５の右側面ばかりでなく、上面、下面、正面、左側面のいずれに設けてもよく、複数の面に設けることもできる。また、差込部７の数は単数または複数とすることができる。
【００２９】
図５は、図１〜図４に示した壁面コンセント装置をキッチンに適用した例を示した要部斜視図である。
【００３０】
壁体１は、厨房装置１０の作業台１１としてのカウンター１２の後方に位置している。係合部３としての係合溝４は、壁体１の表面に配設された、いわゆるキッチンボード１３に形成されている。キッチンボード１３は、表面の油汚れ等を簡単に拭き取れるようにした板体である。キッチンボード１３は、吊り戸棚１４およびレンジフード１５の下端から厨房装置１０の上端の間に配設されている。係合溝４は、キッチンボード１３の横方向に延び、キッチンボード１３の上下方向に一定の間隔で平行に３段形成されている。
【００３１】
コンセント５は、シンク１６の左隣に位置するカウンター１２の作業面１７の上方に位置する中段の係合溝４に被係合部８としての突起体９を係合させてキッチンボード１３の表面に取り付けられている。コンセント５に備えた電源コード６は、上方に位置する吊り戸棚１４の下端に配設された収納部１８から下方に向かって延びている。電源コード６は、コンセント５の取付位置に応じて上下に伸縮可能であり、露出しない部分は収納部１８に収納される。また、下方に向かって延びる電源コード６は、留め金具１９によって押さえられ、揺れないようにされている。留め金具１９は、電源コード６を上下方向に通して保持する保持部２０と係合溝４に係合する係合部２１とを備えている。
【００３２】
調理作業に使用されるジューサー２２がカウンター１２の作業面１７の上に置かれ、電源コード２３の先端に設けられたプラグ２４がコンセント５の差込部７に差し込まれている。
【００３３】
図５に示したキッチンでは、コンセント５を引き下げ、ジューサー２２の電源コード２３が届く範囲において係合溝４に突起体９を係合させてコンセント５をカウンター１２の後方に位置するキッチンボード１３の表面に取り付けることができる。延長コードは不要であり、取り付けたコンセント５の差込部７にプラグ２４を差し込むことにより、カウンター１２の作業面１７に置いて使用するジューサー２２に電源を供給することができる。コンセント５に備えた電源コード６は、上方の収納部１８から延びているため、カウンター１２の作業面１７で行う作業の邪魔にならない。
【００３４】
なお、コンセント５は、常時キッチンボード１３の表面に取り付けておくのではなく、ジューサー２２、コーヒーメーカー等の電気機器の使用に応じて取り付けるようにすることができる。電気機器を使用しない場合には、たとえば、収納部１８に電源コード６とともに収納することができる。収納部１８は、コンセント５を収納する箱体等とすることができる。また、収納状態にあるコンセント５は、収納部１８においてもコンセントとして使用することができるようにしてもよい。係合部３に類似するものを収納部１８に設け、被係合部８の係合によりコンセント５を収納部１８に取り付けることができる。
【００３５】
また、キッチンボード１３に設けられる係合部３としての係合溝４は、掛け具２５や受け具２６等の取付けに利用すると便利である。調理、洗浄等の作業に使用する小物２７を掛け具２５に掛け、まな板２８を受け具２６を用いてシンク１６の上方に立てかけ、水切り等することができる。
【００３６】
図６、図７は、本発明の壁面コンセント装置の別の実施形態を示した要部斜視図、要部側面図である。
【００３７】
図６および図７に示した実施形態において図１〜図４に示した実施形態と共通する部分には同一の符号を付し、その説明を省略する。
【００３８】
図６および図７に示した実施形態は、係合部３の構成が図１〜図４に示した実施形態と相違している。
【００３９】
図６および図７に示した実施形態では、係合部３は、壁体１の表面を形成する表面板２の表面に取り付けられる、表面板２とは別体とされた横長のレール２９とされている。レール２９は、正面から内部に向かってなだらかに上方に湾曲して形成され、表面において開放する係合溝３０を有している。係合溝３０の断面形状はコンセント５の被係合部８である突起体９の断面形状に一致しており、したがって、突起体９は同様に係合溝３０に係合し、コンセント５は表面板２の表面側に取り付けられる。
【００４０】
このような係合溝３０を有する横長のレール２９を係合部３とすることにより、レール２９はあらかじめ表面板２に取り付けておくばかりでなく、後付けも可能である。既設の表面板２の表面側にもコンセント５を取り付けることができる。
【００４１】
係合部３としてのレール２９もまた複数段として平行に壁体１の上下方向に設けることができる。横方向に延びる平行な複数段のレール２９を壁体１の上下方向に設けることにより、電気機器の設置、使用等の態様に応じてコンセント５の取付位置を変えることができ、コンセント５を壁体１の表面側の適当な位置に取り付けることができる。レール２９の縦幅は、たとえば図７に示したように、コンセント５の厚みと略同一とすることができ、コンセント５の取付状態の見栄えを良好にすることができる。もちろん、レール２９の縦幅は、コンセント５が安定に取り付けられる限り、コンセント５の厚みよりも小さくまたは大きくしても構わない。
【００４２】
図８は、本発明の壁面コンセント装置のまた別の実施形態を示した要部斜視図である。
【００４３】
図８に示した実施形態において既述の実施形態と共通する部分には同一の符号を付し、その説明を省略する。
【００４４】
図８に示した実施形態では、コンセント５の縦幅および横幅が拡大され、ラック３１を兼ねている。コンセント５を壁体１の表面側に取り付けた状態でラック３１としての使用を可能にしている。差込部７に電源コード２３の先端に設けられたプラグ２４を差し込んだＤＶＤプレーヤー３２等の電気機器やリモートコントローラー等をコンセント５の上に載せることができる。したがって、図５に示したキッチンでは、作業台１１であるカウンター１２の作業面１７に必ずしも置く必要のない電気機器等をラック３１を兼ねるコンセント５の上に載せることができ、カウンター１２の作業面１７を十分に確保することができる。
【００４５】
以上に示される本発明の壁面コンセント装置は、もちろんキッチン以外にも適用可能である。
【図面の簡単な説明】
【００４６】
【図１】本発明の壁面コンセント装置の一実施形態を示した要部斜視図である。
【図２】図１に示した実施形態の要部側面図である。
【図３】（ａ）（ｂ）は、それぞれ、図１および図２に示した壁面コンセント装置におけるコンセントの壁体表面側への取り付け方を示した要部側面図である。
【図４】係合部の壁体表面側への配設態様をコンセントの取付状態とともに示した要部側面図である。
【図５】図１〜図４に示した壁面コンセント装置をキッチンに適用した例を示した要部斜視図である。
【図６】本発明の壁面コンセント装置の別の実施形態を示した要部斜視図である。
【図７】図６に示した実施形態の要部側面図である。
【図８】本発明の壁面コンセント装置のまた別の実施形態を示した要部斜視図である。
【符号の説明】
【００４７】
１  壁体
３  係合部
４  係合溝
５  コンセント
６  電源コード
８  被係合部
１１  作業台
２９  レール
３０  係合溝
３１  ラック
【図１】
2008027629.tif 000003
【図２】
2008027629.tif 000004
【図３】
2008027629.tif 000005
【図４】
2008027629.tif 000006
【図６】
2008027629.tif 000007
【図７】
2008027629.tif 000008
【図８】
2008027629.tif 000009
【図５】
2008027629.tif 000010